(57)【要約】      （修正有）【課題】溶接作業を要することなくバケットの先端部に容易に取り付けることができ、かつ、一部脱落という不都合な事態が発生せず、作業面を確実に平坦状態に地均しすることが可能な建設機械用バケットの交換式平板ツース及び建設機械用バケットを提供する。【解決手段】建設機械用バケット本体２２の先端に並列配置に突設した５個のアダプター２３に対して交換可能に付設される交換式平板ツース１であって、先端側に各々嵌め込み受部領域１５を備え、基端側を前記５個のアダプター２３に対して着脱可能に固定する５個のホルダー１１と、各ホルダー１１に対応する数の嵌め込み凹部３を一端側に列設し、各嵌め込み凹部３を各々各嵌め込み受部領域１５に装着して５個のホルダー１１に着脱可能に固定する一枚形態の均し平板２と、均し平板２を各ホルダー１１に装着した状態で、各ホルダー１１に着脱可能に締結する締結具とを具備する構成とした。【選択図】図２
0003203022.tif 000002
【実用新案登録請求の範囲】
【請求項１】
建設機械用バケット本体の先端に並列配置に突設した複数個のアダプターに対して交換可能に付設される交換式平板ツースであって、
先端側に各々嵌め込み受部領域を備え、基端側を前記複数個のアダプターに対して着脱可能に固定する前記複数個のアダプターに対応する個数のホルダーと、
前記複数個のホルダーに対応する数の嵌め込み凹部を一端側に列設し、各嵌め込み凹部を各々前記各嵌め込み受部領域に装着して前記複数個のホルダーに着脱可能に固定する一枚形態の均し平板と、
前記均し平板を前記各ホルダーに装着した状態で、前記各ホルダーに着脱可能に締結する締結具と、
を具備することを特徴とする建設機械用バケットの交換式平板ツース。
【請求項２】
建設機械用バケット本体の先端に並列配置に突設した複数個のアダプターに対して交換可能に付設される交換式平板ツースであって、
上板部と、下板部と、前記上板部、下板部との間に一体に設けられ、前記上板部と、下板部とを一定間隔で平行に離隔するとともに、先端側を前記上板部と、下板部間で先端側に向かってＵ状に突出させた中間部とを具備し、これらの間の空間領域に嵌め込み受部領域を形成する上下挟み込み式とするとともに、基端側に前記アダプター用の装着凹陥部を設けた前記複数個のアダプターに対応する個数のホルダーと、
前記複数個のホルダーの各嵌め込み受部領域に対応する複数箇所の嵌め込み凹部を一端側に列設し、各嵌め込み凹部を各々前記各嵌め込み受部領域に装着して前記複数個のホルダーに着脱可能に装着する一枚形態で略四角形状の均し平板と、
前記均し平板を前記各ホルダーに装着した状態で、複数箇所の嵌め込み凹部の近傍領域を前記各ホルダーに着脱可能に締結する複数個の締結具と、
を具備することを特徴とする建設機械用バケットの交換式平板ツース。
【請求項３】
前記ホルダーの装着凹陥部は、既存のバケット本体のアダプターに装着可能に形成していることを特徴とする請求項２記載の建設機械用バケットの交換式平板ツース。
【請求項４】
先端に並列配置に複数個のアダプターを突設したバケット本体と、
先端側に各々嵌め込み受部領域を備え、基端側を前記複数個のアダプターに対して着脱可能に固定する前記複数個のアダプターに対応する個数のホルダーと、前記複数個のホルダーに対応する数の嵌め込み凹部を一端側に列設し、各嵌め込み凹部を各々前記各嵌め込み受部領域に装着して前記複数個のホルダーに着脱可能に固定する一枚形態の均し平板と、前記各ホルダーに着脱可能に締結する締結具と、を具備する交換式平板ツースと、
を有することを特徴とする交換式平板ツースを備えた建設機械用バケット。
【請求項５】
先端に並列配置に複数個のアダプターを突設したバケット本体と、
上板部と、下板部と、前記上板部、下板部との間に一体に設けられ、前記上板部と、下板部とを一定間隔で平行に離隔するとともに、先端側を前記上板部と、下板部間で先端側に向かってＵ状に突出させた中間部とを具備し、これらの間の空間領域に嵌め込み受部領域を形成する上下挟み込み式とするともに、基端側に前記アダプター用の装着凹陥部を設けた前記複数個のアダプターに対応する個数のホルダーと、
前記複数個のホルダーの各嵌め込み受部領域に対応する複数箇所の嵌め込み凹部を一端側に列設し、各嵌め込み凹部を各々前記各嵌め込み受部領域に装着して前記複数個のホルダーに着脱可能に装着する一枚形態で略四角形状の均し平板と、前記均し平板を前記各ホルダーに装着した状態で、複数箇所の嵌め込み凹部の近傍領域を前記各ホルダーに着脱可能に締結する複数個の締結具と、を具備する交換式平板ツースと、
を有することを特徴とする交換式平板ツースを備えた建設機械用バケット。
【請求項６】
前記ホルダーの装着凹陥部は、既存のバケット本体のアダプターに装着可能に形成していることを特徴とする請求項５記載の交換式平板ツースを備えた建設機械用バケット。
【考案の詳細な説明】
【技術分野】
【０００１】
本考案は、建設機械用バケットの交換式平板ツース及び該交換式平板ツースを備えた建設機械用バケットに関するものであり、詳しくは、溶接作業を要することなくバケット先端部に容易に取り付けることができ、かつ、一部脱落という不都合な事態が発生せず、作業面を確実に平坦状態に地均しすることが可能な建設機械用バケットの交換式平板ツース及び該交換式平板ツースを備えた建設機械用バケットに関するものである。
【背景技術】
【０００２】
従来から汎用されている例えばパワーショベルのような建設機械〈又は土木機械〉においては、地面を掘削する用途とともに、作業面を平面化する地均し作業にも用いられることが多い。
【０００３】
この場合、パワーショベルの先端に配置したツースに、鉄板等からなる平坦な均し板を熟練を要する面倒な溶接作業を実行して取り付けることで地均し作業に対応していることが多い。
【０００４】
このようなパワーショベル等に付設する均し板の一例として、特許文献１には、パワーショベルに取り付けられたバケットの前端に連設して装着される分割式平ツースであって、該分割式平ツースは、前記バケット前端に固着された複数の支持部材にそれぞれ嵌合する接合部材を有し、かつ、該分割式平ツースの平板部のバケット側基端縁から延出してバケット前端底面に面接する被覆片を設けて構成し、このような分割式平ツースを複数の支持部材の個数分並設して平坦配置とした構成が開示されている。
【０００５】
しかしながら、特許文献１の分割式平ツースの場合、複数の支持部材の個数分並設ものであるために、地均し作業の途中で一部の平ツースが脱落して地均し作業に支障が生じたり、各平ツースの面一性が無くなり作業面を平坦に地均しできなかったり、更には、複数の平ツースを備えることから交換作業が煩雑であったり等の問題を包含している。
【先行技術文献】
【特許文献】
【０００６】
【特許文献１】特開２００４−３２４１３２号公報
【考案の概要】
【考案が解決しようとする課題】
【０００７】
本考案は、従来の上記事情に鑑みてなされたものであり、溶接作業を要することなくバケットの先端部に容易に取り付けることができ、かつ、交換のための取り外しも容易であり、更に、従来例のような一部脱落という不都合な事態が発生せず、作業面を確実に平坦状態に地均しすることが可能な建設機械用バケットの交換式平板ツースを提供することを目的とする。
【課題を解決するための手段】
【０００８】
本考案は、建設機械用バケット本体の先端に並列配置に突設した複数個のアダプターに対して交換可能に付設される交換式平板ツースであって、先端側に各々嵌め込み受部領域を備え、基端側を前記複数個のアダプターに対して着脱可能に固定する前記複数個のアダプターに対応する個数のホルダーと、前記複数個のホルダーに対応する数の嵌め込み凹部を一端側に列設し、各嵌め込み凹部を各々前記各嵌め込み受部領域に装着して前記複数個のホルダーに着脱可能に固定する一枚形態の均し平板と、前記均し平板を前記各ホルダーに装着した状態で、前記各ホルダーに着脱可能に締結する締結具と、を具備することを最も主要な特徴とする。
【考案の効果】
【０００９】
請求項１記載の考案によれば、溶接作業を要することなくバケットの先端部に容易に取り付けることができ、かつ、交換のための取り外しも容易であり、更に、前記従来例のような一部脱落という不都合な事態が発生せず、作業面を確実に平坦状態に地均しすることが可能な建設機械用バケットの交換式平板ツースを実現し提供することができる。
【００１０】
請求項２記載の考案によれば、上板部と、下板部と、前記上板部、下板部との間に一体に設けられ、前記上板部と、下板部とを一定間隔で平行に離隔するとともに、先端側を前記上板部と、下板部間で先端側に向かってＵ状に突出させた中間部とを具備し、これらの間の空間領域に嵌め込み受部領域を形成する上下挟み込み式とするともに、基端側に前記アダプター用の装着凹陥部を設けた前記複数個のアダプターに対応する個数のホルダーと、前記複数個のホルダーの各嵌め込み受部領域に対応する複数箇所の嵌め込み凹部を一端側に列設し、各嵌め込み凹部を各々前記各嵌め込み受部領域に装着して前記複数個のホルダーに着脱可能に装着する一枚形態で略四角形状の均し平板と、前記均し平板を前記各ホルダーに装着した状態で、複数箇所の嵌め込み凹部の近傍領域を前記各ホルダーに着脱可能に締結する複数個の締結具と、を具備する構成の基に、請求項１記載の考案の場合と同様、溶接作業を要することなくバケットの先端部に容易に取り付けることができ、かつ、交換のための取り外しも容易であり、更に、従来例のような一部脱落という不都合な事態が発生せず、作業面を確実に平坦状態に地均しすることが可能な建設機械用バケットの交換式平板ツースを実現し提供することができる。
【００１１】
請求項３記載の考案によれば、請求項２記載の考案において、前記ホルダーの装着凹陥部は、既存のバケット本体のアダプターに装着可能に形成していることから、より汎用性・利便性に優れた建設機械用バケットの交換式平板ツースを実現し提供することができる。
【００１２】
請求項４記載の考案によれば、請求項１記載の考案の効果を奏する交換式平板ツースを備えるものであることから、均し平板の一部脱落という不都合な事態が発生せず、作業面を確実に、かつ、効率よく平坦状態に地均しすることが可能な交換式平板ツースを備えた建設機械用バケットを実現し提供することができる。
【００１３】
請求項５記載の考案によれば、請求項２記載の考案の効果を奏する交換式平板ツースを備えるものであることから、請求項４記載の考案の場合と同様、均し平板の一部脱落という不都合な事態が発生せず、作業面を確実に、かつ、効率よく平坦状態に地均しすることが可能な交換式平板ツースを備えた建設機械用バケットを実現し提供することができる。
【００１４】
請求項６記載の考案によれば、請求項５記載の考案において、前記ホルダーの装着凹陥部は、既存のバケット本体のアダプターに装着可能に形成していることから、当該ホルダー、均し平板を別の建設機械用バケット用として転用することも可能であり利便性に優れた交換式平板ツースを備えた建設機械用バケットを実現し提供することができる。
【図面の簡単な説明】
【００１５】
【図１】図１は本考案の実施例に係る交換式平板ツースを付設したバケットを示す概略斜視図である。
【図２】図２は本実施例に係るバケットにおいて交換式平板ツースにおける均し平板とアダプターとを分離した状態を示す概略斜視図である。
【図３】図３は本実施例に係る交換式平板ツースの均し平板、ホルダー、バケットのアダプター間の嵌め付け状態を示す概略説明図である。
【図４】図４は本実施例に係る交換式平板ツースにおいてバケットのアダプターに対する嵌め付け終了状態を示す概略部分拡大平面図である。
【図５】図５は図４のＡ−Ａ線概略断面図である。
【図６】図６は図４のＢ−Ｂ線から見た概略部分拡大図である。
【図７】図７は本実施例に係る交換式平板ツースにおけるホルダーの概略正面図である。
【図８】図８は本実施例に係る交換式平板ツースにおけるホルダーの概略平面図である。
【図９】図９は本実施例に係る交換式平板ツースにおけるホルダーの概略底面図である。
【図１０】図１０は本実施例に係る交換式平板ツースにおけるホルダーの概略側面図である。
【考案を実施するための形態】
【００１６】
本考案は、溶接作業を要することなくバケットの先端部に容易に取り付けることができ、かつ、交換のための取り外しも容易であり、更に、作業面を確実に平坦状態に地均しすることが可能な建設機械用バケットの交換式平板ツースを提供するという目的を、建設機械用バケット本体の先端に並列配置に突設した複数個のアダプターに対して交換可能に付設される交換式平板ツースであって、上板部と、下板部と、前記上板部、下板部との間に一体に設けられ、前記上板部と、下板部とを一定間隔で平行に離隔するとともに、先端側を前記上板部と、下板部間で先端側に向かってＵ状に突出させた中間部とを具備し、これらの間の空間領域に嵌め込み受部領域を形成する上下挟み込み式とするともに、基端側に前記アダプター用の装着凹陥部を設けた前記複数個のアダプターに対応する個数のホルダーと、前記複数個のホルダーの各嵌め込み受部領域に対応する複数箇所の嵌め込み凹部を一端側に列設し、各嵌め込み凹部を各々前記各嵌め込み受部領域に装着して前記複数個のホルダーに着脱可能に装着する一枚形態で略四角形状の均し平板と、前記均し平板を前記各ホルダーに装着した状態で、複数箇所の嵌め込み凹部の近傍領域を前記各ホルダーに着脱可能に締結する複数個の締結具と、を具備する構成により実現した。
【実施例】
【００１７】
以下、本考案の実施例に係る建設機械用バケットの交換式平板ツース、及び該交換式平板ツースを備えた建設機械用バケットについて図面を参照して詳細に説明する。
【００１８】
図１、図２に示すように、建設機械用バケット２１は、公知のようにショベル状に形成したバケット本体２２の先端に、並列配置に所定の間隔をもって突設した複数個、例えば５個のアダプター２３を備えている。
【００１９】
また、本実施例に係る交換式平板ツース１は、図１乃至図３に示すように、前記５個のアダプター２３に対応する５個構成のホルダー１１と、この５個ホルダー１１に嵌め付ける例えば鉄板等からなる一枚形態で、略長方形状で、かつ、平坦な均し平板２と、を有している。
【００２０】
前記均し平板２は、長辺の一端側に前記各ホルダー１１に対応する数、すなわち、５個の略Ｕ状を呈する嵌め込み凹部３を所定の間隔をもって列設している。
【００２１】
また、前記均し平板２における各嵌め込み凹部３の近傍で、かつ、他端側に寄った位置に、前記ホルダー１１との固定用の取り付け穴４を各々設けている。
【００２２】
ここで、前記ホルダー１１について詳述する。
【００２３】
前記ホルダー１１は、図１、図３、図７乃至図１０に示すように、上板部１２と、下板部１３と、前記上板部１２、下板部１３との間に一体に設けられ、前記上板部１２と、下板部１３とを一定間隔で平行に離隔するとともに、先端側を前記上板部１２と、下板部１３間で先端側に向かってＵ状に突出させた中間部１４とを具備し、これらの間の空間領域に前記嵌め込み凹部３用の嵌め込み受部領域１５を形成する上下挟み込み式としている。
【００２４】
前記ホルダー１１は、基端側に前記上板部１２の中央部を上方に膨出させた上部膨出部１２ａを形成し、また、前記下板部１３の中央部を下方に膨出させた下部膨出部１３ａを形成して、上部膨出部１２ａ、下部膨出部１３ａ間に、前記アダプター２３用の装着凹陥部１６を設けている。
【００２５】
また、上部膨出部１２ａ、下部膨出部１３ａには、装着凹陥部１６を挟んで上下対称配置に各々前記アダプター２３に設けた長穴状の貫通穴２４に対応する止め穴１２ｂ、１３ｂを設けている。
【００２６】
更に、前記上板部１２、下板部１３の先端側には、嵌め込み受部領域１５を挟んで上下対称配置に均し平板取り付け穴１２ｃ、１３ｃを設けている。
【００２７】
前記止め穴１２ｂ、１３ｂ、及び均し平板取り付け穴１２ｃ、１３ｃの位置は、前記ホルダー１１の図示しないが突出方向中心線上に合致する配置としている。
【００２８】
前記交換式平板ツース１は、更に前記均し平板２を前記各ホルダー１１に装着した状態で、前記均し平板取り付け穴１２ｃ、１３ｃに挿通し、前記各嵌め込み凹部３の近傍領域を前記各ホルダー１１に着脱可能に締結する例えばボルト、ナットを用いた所要数の締結具５を具備している。
【００２９】
また、前記アダプター２３に対する各ホルダー１１の固定は、図５に示すように、公知のロックピン２５と、このロックピン２５の抜けを防止する例えば弾性合成樹脂材等からなるラバーピン２６とにより行うように構成している。
【００３０】
次に、本実施例に係る交換式平板ツース１の前記バケット本体２２に対する取り付け態様について、図１乃至図６を参照して説明する。
【００３１】
まず、前記各ホルダー１１を前記バケット２１の各アダプター２３に各々取り付ける。
【００３２】
すなちち、図３に代表例として示すように、前記ホルダー１１の装着凹陥部１６を前記アダプター２３に装着し、前記ホルダー１１の止め穴１２ａ、１３ａと前記アダプター２３の貫通穴２４とを合致させた状態で、図５に示すように、前記ロックピン２５、ラバーピン２６を用いて前記ホルダー１１を前記バケット２１のアダプター２３に強固に、かつ、着脱可能に取り付ける。
【００３３】
このような作業を本実施例においては５回実行し、前記バケット２１の各アダプター２３に各々前記各ホルダー１１を固着して図２に示す状態とする。
【００３４】
次に、前記均し平板２を図２に示すように各ホルダー１１の前方に配置した後、この均し平板２の各嵌め込み凹部３を前記各ホルダー１１の各嵌め込み受部領域１５に各々嵌め付け、前記均し平板取り付け穴１２ｃ、前記取り付け穴４及び前記均し平板取り付け穴１３ｃを５箇所にわたって合致させた状態として、前記５個の締結具５を用いて前記５箇所で均し平板２を各ホルダー１１に対して一体的になるように、かつ、着脱可能に取り付ける。
【００３５】
前記均し平板２と前記ホルダー１１との固着状態の一部を図５、図６に示す。また、上述のようにして交換式平板ツース１を前記バケット本体２２に取り付けた状態を図１に示す。
【００３６】
以上説明した本実施例に係る交換式平板ツース１によれば、以下のような種々の効果を発揮させることができる。
【００３７】
すなわち、本実施例に係る交換式平板ツース１によれば、均し平板２が一枚構造であるため、従来例のような分割式の均し平板の如き均し平板の一部落下が皆無となり、地均し作業に支障が生じる事態が無くなって、地均し作業の効率を向上させることができる。
【００３８】
また、均し平板２が一枚構造であることにより、地均し作業により地面を均す際に残る微妙な段差が無くなり又は微妙な段差が大幅に減少して、対象箇所の地面の平坦性を高めることができる。
【００３９】
本実施例に係る交換式平板ツース１によれば、建設機械のバケット２１に溶接にて装着されている既存のアダプター２３に対し、前記ロックピン２５、ラバーピン２６を用いて前記各ホルダー１１を煩雑な溶接作業を伴うことなく公知の方法で着脱可能に取り付けることができ、また、磨耗等による交換の必要性が生じても、前記各ホルダー１１を外すことなく均し平板２のみを容易に外すことで対応でき、各ホルダー１１の再利用が可能であるとともに、均し平板２のみ交換で済むため作業面・コスト面でも有利である。
【００４０】
更には、溶接作業を行う熟練者を必要とせず、各ホルダー１１や均し平板２を誰でも簡単に装着、取り外しが可能であるという利点もある。
【００４１】
本実施例に係る交換式平板ツース１におけるホルダー１１は、同サイズの既存のアダプター２３に対し、一種類のホルダー１１で対応可能であり、建設機械のバケット２１のバケットサイズが違った場合（例えば幅の狭いバケットの場合等）でも、そのアダプターが本実施例に係るホルダー１１と同サイズであれば、前記ホルダー１１を当該建設機械に装着することが可能であるため、より汎用性・利便性が増し複数の製品から選択するという煩雑さがなくなる。
【００４２】
上述した構成からなる本実施例に係る交換式平板ツース１によれば、前記ホルダー１１を建設機械のバケットに装着されている既存アダプター２３の中心線に対して同軸上に装着でき、メーカー純正のポイントツースと同様な使用感覚で作業ができるため、より作業性の良さが向上するという利点がある。
【００４３】
本実施例に係る交換式平板ツース１によれば、前記均し平板２をホルダー１１により上下２方向から挟み込む形で保持することができることから、上下両方向に同程度の強度を有する交換式平板ツース１とすることができる。
【００４４】
本実施例に係る交換式平板ツース１によれば、アダプター２３に対して、溶接による固定方法を採用していないので、その材質を限定することなく、アダプター２３に取り付け可能な形状に加工できる素材であれば幅広く対応可能となり、これにより、前記均し平板２の材質の選択の際の自由度が増すという利点もある。
【産業上の利用可能性】
【００４５】
本考案は、バケットを付設するブルドーザー、ショベルローダー等の各種建設、土木機械用として広範に適用可能である。
【符号の説明】
【００４６】
１    交換式平板ツース
２    均し平板
３    嵌め込み凹部
４    取り付け穴
５    締結具
１１    ホルダー
１２    上板部
１２ａ  上部膨出部
１２ｂ  止め穴
１２ｃ  均し平板取り付け穴
１３    下板部
１３ａ  下部膨出部
１３ｂ  止め穴
１３ｃ  均し平板取り付け穴
１４    中間部
１５    嵌め込み受部領域
１６    装着凹陥部
２１    バケット
２２    バケット本体
２３    アダプター
２４    貫通穴
２５    ロックピン
２６    ラバーピン
【図１】
0003203022.tif 000003
【図２】
0003203022.tif 000004
【図３】
0003203022.tif 000005
【図４】
0003203022.tif 000006
【図５】
0003203022.tif 000007
【図６】
0003203022.tif 000008
【図７】
0003203022.tif 000009
【図８】
0003203022.tif 000010
【図９】
0003203022.tif 000011
【図１０】
0003203022.tif 000012